(57)【要約】      （修正有）【課題】ディスプレイ画面オフの状態で装飾材料と同じ画像（模様・文字を含む。）を提示することにより、それぞれの設置場所を覚える必要性を無くし、タイムリーに装飾材料の表示機能を省スペースで使用可能とする装飾材料を提供する。【解決手段】家具用の装飾板材１は、家具に使用される基板１００と、基板１００のディスプレイとしての上層表面１００ａに形成された凹状部１００ｂと、凹状部１００ｂ内に収納される画像生成部１０４と、凹状部１００ｂを被覆して開口部を閉塞する外層としてのパネル１０２と、画像生成部１０４を非接触式センサーモジュールの検出情報に応じて動作させてパネル１０２に画像を投影させる制御器１０８と、電源１１０とを備えている。【選択図】図１
2020103866.tif 000002
【特許請求の範囲】
【請求項１】
基材の表面に形成された凹状部と、
前記凹状部内に設置された画像生成部と、
前記凹状部を被覆する外層と、を備え、
前記画像生成部を非接触センサーモジュールの検出情報に応じて動作させて前記外層に画像を投影させる制御器と、
を備えることを特徴とする装飾材料。
【請求項２】
前記非接触式センサーモジュールは、生体感知センサーを備え、
前記生体感知センサーは、観測エリアに近づく人間また観測エリア内で前記基材に近づく人間を感知する
ことを特徴とする請求項１記載の装飾材料。
【請求項３】
前記生体感知センサーは、インダクタンス式・渦電流式とコンデンサ式・ホールセンサ式・ドライリード継電器・光電式・ピロ電気式・ドップラー式・電磁誘導式・マイクロ波式・超音波式のいずれか一つまたは複数の組合せにより構成されている
ことを特徴とする請求項２記載の装飾材料。
【請求項４】
前記生体感知センサーは、前記基材内に埋め込まれて設置されていることを特徴とする請求項２または３記載の装飾材料。
【請求項５】
前記生体感知センサーは、前記凹状部内に表層側を向いて設置されていることを特徴とする請求項４記載の装飾材料。
【請求項６】
前記非接触式センサーモジュールは、ユーザーの身分情報を確認可能なモバイル設備識別モジュールを備え、
前記確認されたユーザーの身分情報を、プッシュ待ち情報に応じてモバイル設備に送信する情報転送モジュールを備える
ことを特徴とする請求項１〜５のいずれかに記載の装飾材料。
【請求項７】
前記制御器は、前記プッシュ待ち情報をホストに接続して取得する提示モジュールを備える
ことを特徴とする請求項６記載の装飾材料。
【請求項８】
前記提示モジュールは、前記プッシュ待ち情報の有無および数量を取得することを特徴とする請求項７記載の装飾材料。
【請求項９】
前記提示モジュールは、前記制御器に通信接続しており、
前記画像生成部から前記外層に投影する画像の情報をコントロールする
ことを特徴とする請求項７または８記載の装飾材料。
【請求項１０】
前記モバイル設備識別モジュールおよび前記情報転送モジュールは、近距離無線通信技術によって実現される
ことを特徴とする請求項６記載の装飾材料。
【請求項１１】
前記制御器は、外部設備と電気接続する接続端子を備え、
前記凹状部内には、ユーザーのタッチ操作を受け付けるタッチ設備が設置されていることを特徴とする請求項１記載の装飾材料。
【請求項１２】
前記表面に投影される画像は、前記外層と前記タッチ設備との結合位置を示すスイッチ画像を含むことを特徴とする請求項１１記載の装飾材料。
【請求項１３】
前記タッチ設備は、コンデンサスイッチまたはマイクロ波感知器を備えていることを特徴とする請求項１１または１２記載の装飾材料。
【請求項１４】
前記タッチ設備は、前記制御器と電気接続されている一方、
前記制御器は、前記タッチ設備の受付けたユーザーのタッチ操作により画像生成部を動作させる
ことを特徴とする請求項１１〜１３のいずれかに記載の装飾材料。
【請求項１５】
前記画像生成部は、ニキシー管とＬＥＤモジュールとアモレッドモジュールのいずれか一つ又は複数の組合せを備える
ことを特徴とする請求項１記載の装飾材料。
【請求項１６】
前記画像生成部は、発光部とカバー層とを備え、
前記カバー層は、前記外層と前記発光部との間に配置されている一方、
前記外層は、透光エリアと非透光エリアとを備え、
前記発光部から前記カバー層を透かして前記外層に前記画像を投影することを特徴とする請求項１記載の装飾材料。
【請求項１７】
前記非接触センサーモジュールは、環境センサーを含み、
環境センサーは、温度センサー・湿度センサー・空気センサー・光センサー・マイクロ波センサー・音波センサー・画像センサーのいずれか一つまたは複数の組合せを備える
ことを特徴とする請求項２または６記載の装飾材料。
【請求項１８】
環境センサーが事前に設定された環境係数の閾値をオーバーしたことを検知すれば、前記ホストまたは前記モバイル設備に送信する警報モジュールを備える
ことを特徴とする請求項１７記載の装飾材料。
【請求項１９】
請求項１〜１８のいずれかに記載の装飾材料を制御する電気制御システム。
【請求項２０】
複数の前記装飾材料を備え、
前記装飾材料群のいずれかは、無線通信による通信が可能なことを特徴とする請求項１９記載の電気制御システム。
【発明の詳細な説明】
【技術分野】
【０００１】
本発明は、主にインテリアなどの家具の分野に使用される装飾材料および電気制御システムに関する。
【背景技術】
【０００２】
現在、ディスプレイ技術の発展に伴い、電子製品は表現豊かな画像情報のディスプレイ表示を非常にローコストで実現可能になった。
【先行技術文献】
【特許文献】
【０００３】
【特許文献１】特開平８−６２７２２
【特許文献２】特開２００７−１０８６７８
【発明の概要】
【発明が解決しようとする課題】
【０００４】
例えば特許文献１，２などの従来技術には、次の問題が生じるおそれがあった。
【０００５】
（１）すなわち、画像情報のディスプレイ表示は、同時にユーザーに大量の光汚染を被らせるおそれがある。インテリアなどの分野では、装飾材料そのもの（例えば、コンパネ、大理石板）の完璧な自然風模様が展示される傾向がある。
【０００６】
これらの表面にパネルを装着すると、同じ模様にはならないため、見た目が悪化するおそれがある。逆に内部に隠れて設置すると、外部から見えないため、使用する場合には、それぞれの場所を覚える必要がある。
【０００７】
（２）特許文献１は、机内部に設置されたプロジェクタにより背面投射し、プロジェクタの画像をミラーで反転して光路を変更させている。しかしながら、プロジェクタを机内部に設置する必要があるため、机全体が大きくなり、設置スペースに確保できないおそれがある。そこで、特許文献２のようにテーブル下にプロジェクタを配置する手段が提案されているものの、テーブル下の空間を確保しなければならず、やはり設置スペースの問題が生じるおそれがある。
【０００８】
本発明は、このような従来術の問題を解決するためになされ、ディスプレイ画面オフの状態でディスプレイ表示と同じ画像（模様・文字・図案を含む。）を家具などに呈したうえで、それぞれの設置場所を覚える必要性を無くし、タイムリーに該当装飾材料の表示機能を省スペースで使用可能とすることを解決課題としている。
【課題を解決するための手段】
【０００９】
上記で述べたように、現有技術の問題点を解決するため、本発明ではディスプレイ画面オフの状態で普通材料と同じ模様または図案を呈したうえ、それぞれの設置場所も覚える必要がなく、タイムリーに該当装飾材料の表示機能を使うことができる。
【００１０】
該当装飾材料には、基材、一つまたはいくつかの凹状部があり、外層は、凹状部分を覆う形で、基材と同じ透光かつ透明ではない材料で作られている。画像生成部は、凹状部に設置されており、ディスプレイに画像を投影できる。制御器は、非接触式センサーモジュール及び画像生成部に接続され、非接触式センサーの検知によって画像生成部を作動させることができる。
【００１１】
基材表面に合う透光かつ不透明な材料で作られた表層カバーが凹状部を覆い、凹状部に設置された画像生成部を隠しており、ディスプレイ表示オフの状態で通常の材料を同じ模様または図案を呈することができる。また、非接触式センサーモジュールで画像生成部を作動させるため、ユーザーはディスプレイ表示機能付きの装飾材料の設置された場所を覚える必要がなく、非接触の方法で指令を出したら、ディスプレイ表示が作動できる。その間、ユーザーの分かりやすいように、もともと隠れていた表示部分はほかの材料と違う形貌に変わる。
【００１２】
本発明の技術方案において、非接触式センサーモジュールには生体センサーが搭載されており、人が検知エリアに近づいてくるのを観測できる。
【００１３】
さらに、本発明の技術方案において、生体感知センサーは、インダクタンス式，渦電流式，コンデンサ式，ホールセンサ式，ドライリード継電器，光電式，ピロ電気式，ドップラー式，電磁誘導式，マイクロ波式，超音波式などの一つまたはいくつかから組み合わせである。
【００１４】
生体感知センサーは、基材の凹状部内部に埋め込まれて、表層に向いている形で設置されており、生体センサーに対応する位置には通り穴がある。
【００１５】
非接触式センサーモジュールには、モバイル設備識別モジュールがあり、そのユーザーの身分情報が検知でき、また、情報転送モジュールによって、身分情報が認識されたら、情報転送モジュールはプッシュ待ち情報をモバイル設備に送らせる。
【００１６】
提示モジュールは、ホストに接続しており、ホストにあるプッシュ待ち情報の状態を知らせる。プッシュ待ち情報の状態とは、例えばプッシュ待ち情報の有無および数量を意味する。
【００１７】
提示モジュールは、制御器に通信接続しており、画像生成部から表層に投影する情報をコントロールできる。高周波識別モジュール及び情報送信モジュールは、近距離無線通信技術によって実現される。制御ポートは、凹状部に設置され、タッチ設備と電気接続している。
【００１８】
画像生成部は、表層へ投影する画像にはディスプレイとタッチ設備の結合部のスイッチ画像が含まれる。タッチ設備は、例えばコンデンサスイッチ或いはマイクロ波感知器である。タッチ設備は、制御器と電気接続され、ユーザーがタッチすると画像生成部が作動する。
【００１９】
画像生成部は、ニキシー管，ＬＥＤモジュール及びアモレッドモジュールの一つまたはいくつかの組み合わせで構成される。
【００２０】
画像生成部は、発光部とカバー部から構成され、カバー部は、表層と発光部の間にあり、透光エリアと透光でないエリアがある。発光部からカバー部を透かして画像をディスプレイに投影する。
【００２１】
非接触式センターモジュールは、環境センサーも含まれる。環境センサーは、温度センサー，湿度センサー，空気センサー，光センサー，マイクロ波センサー，音波センサー，画像センサーの一つかいくつかで構成されている。
【００２２】
環境センサーは、環境係数の閾値オーバーを検知したら、警報モジュールは警報をホストまたはモバイル設備に送信することができる。
【００２３】
制御システムは、前記装飾材料の任意一つ、及びそれに接続する一つ又はいくつかの電気が含まれる。装飾材料の一部は無線通信によって接続可能である。
【発明の効果】
【００２４】
本発明によれば、ディスプレイ画面オフの状態でディスプレイ表示と同じ画像（模様・文字・図案を含む。）を家具などに呈されるため、それぞれの設置場所を覚える必要性が無く、タイムリーに該当装飾材料の表示機能を省スペースで使用可能となる。
【図面の簡単な説明】
【００２５】
【図１】実施例１の装飾板材の断面図。
【図２】実施例２の装飾板材の断面図。
【図３】実施例３の装飾板材の断面図。
【発明を実施するための形態】
【００２６】
以下、図面に基づき本発明の実施形態を説明する。ここでは実施例１〜３に基づき本発明の実施形態を説明する。この各実施例において本発明は、家具用の装飾板材（インテリジェント板材）に適用されている。
【００２７】
≪実施例１≫
図１中の１は、実施例１の装飾板材を示している。この装飾板材１は、家具の構成に使用される基板１００と、基板１００のディスプレイとして機能する上層表面１００ａに形成された凹状部１００ｂと、凹状部１００ｂ内に収納される画像生成部１０４と、凹状部１００ｂを被覆して開口部を閉塞する外層としてのパネル１０２と、画像生成部１０４を非接触式センサーモジュール１０６の検出情報に応じて動作させてパネル１０２に画像を投影させる制御器１０８と、電源１１０とを備えている。
【００２８】
基板１００は、テーブルの天板や引出しの前板・サインボード（例えば表札などの看板）など家具の構成中、ユーザーの目に付く部分に使用されている。具体的には基板１００は、木材や大理石板材などの単一材料により製作され、上下両面に同じ模様が施されている。ただし、基板１００にはベニア板のような複合材料も使用可能とし、また基板１００の形貌は上層（表層）の材料によって相違が生じる。
【００２９】
画像生成部１０４は、凹状部１００ｂ内に嵌入した状態で収納され、発光部とカバー層とを備えている。ここでは発光部はＬＥＤ発光ダイオード群により構成され、ＬＥＤダイオード毎にＬＥＤ珠が対応している。この各ＬＥＤ発光ダイオードに制御器１０８が接続され、各ＬＥＤ発光ダイオードの開閉をコントロールし、その開閉の組合せを調整することで画像表示を実現させている。なお、画像生成部１０４の他例としては、例えばニキシー管やＬＥＤモジュールなどのその他の発光ダイオードを使用することもできる。
【００３０】
また、カバー層は、発光部を被覆しているため、外層と発光部との間に配置されている。このカバー層は、透光エリアと非透光エリアとを備え、透光エリアには透かし彫り又は透明図案が施されている。したがって、発光部の光は、カバー層を通って透光エリアの図案を外へと投射する。
【００３１】
パネル１０２は、凹状部１００ｂ内の画像生成部１０４を隠すため、凹状部１００ｂの開口部を閉塞し、画像生成部１０４をカバーしている。このパネル１０２は基板１００の表面形貌（形態）に応じた材料により構成され、パネル１０２の表面と基板１００表面との外見は区別がつき難い。また、パネル１０２の外形（輪郭）は凹状部１００ｂの開口形状と同寸法の相似形に形成されているとともに、パネル１０２の外周は接着などの手段により凹状部１００ｂの開口内面に固着されている。このときパネル１０２の表面は基板１００の上層表面１００ａと水平に設置され、両表面間に隙間が無く、面一となっている。
【００３２】
具体的にはパネル１０２の表面模様を基板１００にマッチさせるため、凹状部１００ｂを形成する際に基板１００から切り取った木材チップなどをパネル１０２に使用する。例えば基板１００に複合材料を用いる場合には、上層と同じタイプのコンパネをパネル１０２に使用し、基板１００の上層の外観にマッチングさせる。
【００３３】
また、基板１００に無垢材を用いる場合には、パネル１０２は無垢材の表面模様にマッチングするチップを使用する。このときチップの厚さは、凹状部１００ｂの深さの約「１／７」が好ましく、「０．１〜０．８ｍｍ」の間でよい。すなわち、パネル１０２が薄すぎると加工が難しくなるだけでなく、透けて内蔵の画像生成部１０４が見えてしまうおそれがある。一方、厚すぎると透光性が劣り、画像生成部１０４から投射された画像が表示しにくくなるうえ、画像の明るさや解像度などが低下するおそれがある。
【００３４】
そして、画像生成部１０４は、前記発光部のＬＥＤ珠の組合せに応じて発光し、パネル１０２の裏面（下部表面）に画像を投射する。このときパネル１０２（透光エリア）自体の透光性能を利用して光の錯乱性能により画像が生成される。したがって、投射された画像の鮮明度を高めるには、画像生成部１０４をパネル１０２の裏面付近に設置する必要があり、両者１０２，１０４間の距離は「１ｃｍ」以内が好ましい。また、前記発光部のＬＥＤ珠同士の光が互いに邪魔になって画像の鮮明さに影響が生じないようにするため、パネル１０２と画像生成部１０４との間にパネル１０２に垂直する図示省略の遮光壁を設置することもできる。
【００３５】
このような装飾板材１によれば、前記発光部と前記カバー層との組み合わせにより画像生成部１０４が構成され、前記カバー層の透光エリア以外は非透光エリアとなる。したがって、前述のように前記発光部から発せられた光が前記カバー層を通過し、透光エリアに施された透かし彫り又透明図案が外に投射される。
【００３６】
このとき前記カバー層をパネル１０２の裏面付近に設置すれば投影画像の鮮明度を向上させることができる。その結果、装飾板材１をテーブルの天板などに使用すれば、パネル１０２に画像が投影され、ユーザーに様々な情報を提示すること可能となる。
【００３７】
ここでパネル１０２は、前述のように基板１００から切り取った木材チップを使用しているものの、薄く加工されているため、透光性を有する非透明体として構成されている。このようにパネル１０２が非透明体なため、画像生成部１０４の存在を外から見られことが無い。一方、画像生成部１０４からの画像情報をわかり易くするためにはパネル１０２を透光とすることが好ましい。
【００３８】
また、透光性を有する非透明体のパネル１０２とすれば、画像生成部１０４からの光の眩しさを和らげる効果が得られ、強光が直接にユーザーの目に入ることが防止され、基板１００に表示された情報を気軽に楽しむことが可能となる。なお、画像生成部１０４に多色なＬＥＤ珠を使用すれば、図示省略の調光装置を通じてＬＥＤ珠の色温度を調節することができ、その組合せでカラフルな図案効果を発揮する。
【００３９】
ここで装飾板材１に搭載する非接触式センサーモジュール１０６は、制御器１０８及び電源１１０に接続されている。したがって、ユーザーが前記天板に使用された装飾板材１の非接触センサーモジュール１０６にスイッチオンの命令を指示すれば、それに接続された制御器１０８からディスプレイ表示の指令が電源１１０に送られて画像生成部１０４が動作を開始する。これによりパネル１０２に前記発光部から光が照射され、もともと隠れていたパネル１０２が基板１００の外層（表層）などと違う形貌に変化する。
【００４０】
非接触式センサーモジュール１０６の一例として、生体センサーを搭載することができる。この生体センサーは、温度センサー・湿度センサー・空気センサー・光センサー・マイクロ波センサー・音波センサー・画像センサーのいずれか一つまたは複数の組合せにより構成される。また、生体センサーは、インダクタンス式・渦電流式とコンデンサ式・ホールセンサ式・ドライリード継電器・光電式・ピロ電気式・ドップラー式・電磁誘導式・マイクロ波式・超音波式のいずれか一つまたは複数の組合せにより構成されている。
【００４１】
非接触式センサーモジュール１０６の他の例として、モバイル設備識別モジュールを搭載することもできる。このモバイル設備識別モジュールは、「ＩｒＤＡ」などに基づく赤外線通信プロトコル，「ＨｏｍｅＲＦ」・「Ｔｈｒｅａｄ」・「Ｚｉｇｂｅｅ」などに基づくもののインターネットまたはスマートハウス通信プロトコル，「ＲＦＩＤ−Ｍｉｆａｒｅ」・「ＮＦＣ」などの高周波技術，「ＢＬＵＥＴＯＯＴＨ（登録商標）」通信プロトコル（ＩＥＥＥ８０２．１５．１），「ＷＩ−ＦＩ」技術（例えば「ＩＥＥ８０２．１１ｂ」あるいは「ＩＥＥＥ８０２．１１ｇ」），その他の短距離無線通信技術のいずれか一つまたは複数の通信技術の組合せにより構成される。このモバイル識別モジュールによりユーザーのモバイル設備が識別されてリンクされる。このモバイル設備としては携帯端末、例えばノートＰＣやスマートフォン・タブレットなどが含まれる。
【００４２】
非接触式センサーモジュール１０６のさらに他の例として、非接触式の環境センサーを搭載することもできる。この環境センサーは、温度センサー・湿度センサー・空気センサー・光センサー・マイクロ波センサー・音波センサー・画像センサーの一つまたは複数の組合せにより構成される。この環境センサーは、単独で非接触センサーモジュールとして使用してもよく、あるいは生体センサーやモバイル設備識別モジュールとセットで非接触式センサーモジュールとして使用してもよい。
【００４３】
本実施例では、非接触式センサーモジュール１０６は、非可視光エアバンドの光学センサー技術あるいはその他の光学原理に基づかないセンサー技術で実現し、パネル１０２や基板１００を通じて外部環境係数を非接触式で検測（検知）する。上記の方法でパネル１０２又は基板１００の表面に凹みや穴をつくらなくて済む。本実施例では、センサーの種類や設置場所によってパネル１０２あるいは基板１００の表面に穴を作り、研磨及びその他の処理を行い、パネル１０２と基板１００の表面模様の差が人の目で区別がつかないようにする。
【００４４】
ただし、非接触式センサーモジュール１０６は、上記の例だけではなく、実施例２，３で説明する違うタイプの機能および装飾板材１に合わせて生み出した効果をも有する。
【００４５】
なお、実施例１〜３では、装飾板材１〜３を一例に本発明の装飾材料を説明するが、本発明の提供する技術方案は、これに限定されることものではない。例えば石材・シート材料・形材・綿材などその他のタイプの装飾材料にも応用するでき、上記材料の形状変化は本発明の保護範囲を越えることはない。
【００４６】
≪実施例２≫
図２中の２は実施例２の装飾板材を示している。この装飾板材２は、実施例１の装飾板材１と同様に構成され、非接触式センサーモジュール２０６の設置方法が相違する。
【００４７】
すなわち、装飾板材２の非接触式センサーモジュール２０６には、モバイル設備識別モジュールとデータプッシュ技術が含まれ、実施例２の技術は主にモバイル設備識別モジュールとデータプッシュ技術とで実現されている。例えば「ＢＬＵＥＴＯＯＴＨ」設備を使ってモバイル設備の識別機能を果たし、「ＷＩ−ＦＩ」設備を使ってデータ輸送（送信）を行い、データプッシュ技術を実現させている。ここでは非接触式センサーモジュール２０６は、近接通信（ＮＦＣ）技術に基づいてリーダーモードとピアツーピアモードとが設定できる。リーダーモードの設定状態で「ＮＦＣ」技術に基づいた非接触式センサーモジュール２０６は、モバイル設備の「ＲＦＩＤ（チップ）」を読み取り、ユーザーの身分情報を確認する。
【００４８】
このとき非接触式センサーモジュール２０６は、情報プッシュモジュール（情報転送モジュール）の機能も備えるため、前記身分情報が確認されればピアツーピアモードでモバイル設備に情報送信することができる。非接触式センサーモジュール２０６とモバイル設備の通信協定は、両者間に必要な識別距離と帯域幅などの数値から選択することができる。このモバイル設備識別モジュールの無線通信技術は、実施例１と同様とする。
【００４９】
また、装飾板材２は、ネット通信設備２１２を備えている。このネット通信設備２１２は、ローカルエリア回線あるいはインターネットと通信接続が可能となっている。ここではネット通信設備２１２は、複数の装飾板材２間のローカルエリア回線（ＬＡＮ）に接続され、各装飾板材２の非接触式センサーモジュール２０６は環境センサーを備えている。実施例１で示したように環境センサーは、温度センサー・湿度センサー・空気センサー・光センサー・マイクロ波センサー・音波センサー・画像センサーの一つまたは複数の組合せにより構成され、検知エリア（計測・観測エリア）内の各環境数値を測定（計測）することができる。
【００５０】
ここで測定された各環境数値のデータ（データ結果）は、ネット通信設備２１２を通じて前記ローカルエリア内の装飾板材２間で同期させることができる。これによりユーザーは、モバイル設備を通じて装飾板材２にプッシュ情報をダウンロードする方法などを使って、すべての検知エリア内の環境係数データを知ることができる。
【００５１】
また、ネット通信設備２１２がインターネットと接続されていれば、測定された各環境値データを図示省略のホスト（ホストサーバ）に送信することができる。これによりユーザーは、モバイル設備を通じてホストから該当データを直接ダウンロードすることが可能となる。
【００５２】
さらに各環境センサーは制御器１０８に接続され、制御器１０８には警報モジュールが搭載されている。この警報モジュールによれば、環境センサーが事前設定の閾値をオーバーしたことを検知した場合、制御器１０８はネット通信設備２１２を通じてホストに警報を送信する。あるいは図示省略の情報プッシュモジュールを通じてユーザーのモバイル設備に警報をプッシュ送信することもできる。また、環境センサーに検知された環境係数は、制御器１０８により画像生成部１０４を通じて、リアルタイムにパネル１０２に投影することができる。
【００５３】
ここでは装飾板材２の制御器１０８は、提示モジュールを搭載している。この提示モジュールによれば、制御器１０８はネット通信設備２１２と接続されているため、ネット通信設備２１２を通じてホストに存在するプッシュ待ち情報の状態を取得することができる。このプッシュ待ち情報の状態は、ホストに存在するプッシュ待ち情報の有無及び数量などを示している。このとき制御器１０８は、プッシュ待ち情報の状態に応じて提示情報２１４を自動作成し、画像生成部１０４の電気接続を通じてパネル１０２に投影された提示情報２１４の図案をコントロールする。なお、提示モジュールは、制御器１０８に搭載されて通信接続されているものとする。
【００５４】
装飾板材２は、前記ローカルエリア回線あるいはインターネットに接続し、プッシュ待ち情報を受け取ることができる。また、ユーザーのモバイル設備が装飾板材２に近づけば、装飾板材２に装着されたモバイル設備識別モジュールによりモバイル設備が感知され、リーダーモードでモバイル設備の「ＲＦＩＤ」が読み取られ、ユーザーの情報が確認される。この確認が完了すれば、プッシュ待ち情報が前記情報プッシュモジュールを通じて、即ち「ＮＦＣ」技術のピアツーピアモードを通じてモバイル設備に送信される。なお、プッシュ待ち情報は、装飾板材２に関するサービス・付近のエリアのユーザー情報・装飾板材２のユーザー同士の連絡や請求・環境センサーで確認された環境係数などが含まれる。
【００５５】
このとき非接触式センサーモジュール２０６は、実施例１と異なり、凹状部１００ｂの内部に装着され、画像生成部１０４およびパネル１０２の反対側に設置されているため、基板１００の表面には凹状部１００ｂだけ形成すればよい。したがって、基板１００の表面に非接触式センサーモジュール２０６専用の凹部を形成する必要が無く、製造工程の簡素化や外観が向上する。この非接触式センサーモジュール２０６の裏側には通孔１００ｃが形成されている。この通り穴１００ｄを通って画像生成部１０４と非接触式センサーモジュール２０６とが、制御器１０８および電源に接続されている。
【００５６】
また、短距離無線通信技術の非接触式センサーモジュール２０６の感知エリアは狭く、ユーザー情報の確認やデータ送受信する際にユーザーはモバイル設備を装飾板材２の表面に近づける必要がある。これによりユーザーは、画像生成部１０４によりパネル１０２に投影された画像で識別エリアを確認することが可能となる。その結果、従来のように基板１００またはパネル１０２の表面に標識などを貼付してユーザーに認識させる必要が無く、この点で家具などの装飾にあたって一体化の視覚効果の破壊などを回避することができる。
【００５７】
≪実施例３≫
図３中の３は、実施例３の装飾板材を示している。この装飾板材３は、実施例２の装飾板材２と殆ど同じに構成され、さらにスイッチ装置としての機能が追加されている。
【００５８】
（１）すなわち、本実施例の制御器１０８は、家電製品（電化製品：以下、家電と省略する。）に接続可能な制御端子３１４を備えている。この制御端子３１４により制御器１０８が家電に電気接続し、家電のスイッチをコントロールすることができる。また、ユーザーの指令入力を実現するため、装飾板材３には制御器１０８と電気接続されたタッチ設備３１６が装着されている。このタッチ設備３１６はコンデンサ（あるいはマイクロ感知器）を備え、ユーザーがパネル１０２をタッチしたことを感知でき、それをスイッチ命令に変換して制御器１０８に送信する。これにより制御器１０８は、制御端子３１４を通じて電気接続された家電のスイッチを前記命令（指令）に応じてコントロールすることができる。
【００５９】
（２）また、本実施例では非接触式センサーモジュールとして第１非接触式センサーモジュール３０６ａと第２非接触式センサーモジュール３０６ｂとを備えている。この第１非接触式センサーモジュール３０６ａには、完全に基板１００内に埋め込んで設置された電波の通りが強い非接触式センサーが含まれる。例えば電磁波原理に基づきデータ送信を行う非接触式センサーなどが含まれる。
【００６０】
一方、第２非接触式センサーモジュール３０６ｂには基板１００の表面に近い場所に埋め込まれた非接触式センサー、例えば一部を基板１００に埋め込んで設置された電波の通りの弱い非接触式センサーが含まれる。例えば温度センサー・光センサーなどが該当し、センサーの違いに応じて基板１００やパネル１０２の表面に穴（凹部）が形成され、研磨またはその他の適応な処理を行って人の目で分からない範囲内でセンサー電波の強さを高める。
【００６１】
具体的には第１非接触式センサーモジュール３０６ａは、高周波識別センサーに基づくモバイル設備識別モジュールを搭載する。このモバイル設備識別モジュールによれば、第２測定エリア３２０内に存在するモバイル設備を感知し、感知したモバイル設備を所有するユーザーの身分情報などを読み取る。
【００６２】
第２非接触センサーモジュールには、生体センサーと環境センサーとが含まれる。具体的には生体センサーには、ピロ電気赤外線感知モジュールとマイクロ波感知器とがあり、第１測定エリア３１８に近づいてくる人体／第１測定エリア３１８内で装飾板材３（基板１００）に近づいてくる人体などを感知（検知・感知）することができ、この意味で生体感知センサーとも言える。一方、環境センサーには、前述の空気センサー・温度センサー・光センサーなどだけではなく、マイクも含まれる。なお、両センサーモジュール３０６ａ，３０６ｂの各センサーのすべてが制御器１０８に接続されているものとする。
【００６３】
生体センサーは、第１測定エリア３１８内の環境変化状況を走査し続けるものとする。この第１測定エリア３１８は、第２測定エリア３２０よりも測定距離が長く、範囲が広い。この第１測定エリア内で人が装飾板材３に近づいてくるのを検知（感知）すれば制御器１０８に電波が送信される（第１測定エリア内に人が入ったことも感知できる。）。このとき制御器１０８は、前記電波送信による通知を受け取れば、画像生成部１０４を作動させてネット通信設備２１２を通じてホストにアクセスし、プッシュ待ち情報の有無を確認（観測）する。この確認の結果、プッシュ待ち情報があれば、制御器１０８は画像生成部１０４を通じて提示データ（表示情報）２１４を投射し、あるいは装飾板材３の表面に設けられた図示省略の指示灯を発光させ、ユーザーにプッシュ待ち情報があったことを知らせる。
【００６４】
そして、ユーザーがプッシュ情報を受け取ろうとする場合、認済みのモバイル設備を第２測定エリア３２０に置くだけで、装飾板材３に搭載された高周波識別センサーによりモバイル設備の接近を感知し、モバイル設備を所有するユーザーの身分情報を読み取って制御器１０８に送信する。その後、制御器１０８がユーザーの身分情報を確認できれば、ホストにプッシュ待ち情報をユーザーのモバイル設備に送信するように通知する。あるいは直接ピアツーピアモードを使って、ユーザーのモバイル設備にダウンロードされたプッシュ待ち情報を送信してもよい。
【００６５】
（３）本実施例では、画像生成部１０４からパネル１０２に投影したスイッチ画像は、パネル１０２とタッチ設備３１６との結合位置を提示する。ユーザーが装飾板材３で家電製品のスイッチコントロール機能を使おうとしたら、パネル１０２に投影されたスイッチ画像の位置をタッチ・クリックまたは押すなどのタッチ操作をすれば、タッチ設備３１６に開閉指令が発せられる。この開閉指令がタッチ設備３１６に届けば、それを電波に変換して制御器１０８に送信する。その後、制御器１０８は、その開閉指令に応じて制御端子３１４に電気接続している家電製品のスイッチ状態をコントロールする。
【００６６】
また、本実施例では、ユーザーが軽く叩いて特定の音を出したら、装飾板材３のマイクで表示機能を作動させることができる。動態でデータを表示し、しばらく時間が経つとディスプレイオフ状態になる。
【００６７】
≪その他・他例≫
（１）本発明のその他の実施例では、例えば装飾板材３は、ワイヤレス充電機能を備え、表面の特定エリアを通じてユーザーのモバイル設備を充電することが可能である。
【００６８】
（２）また、複数の装飾板材３を制御する家電制御システムとして構成することもできる。この家電制御システムによれば、各家電は制御端子３１４を通じてそれぞれ対応する装飾板材３に電気接続され、各装飾板材３同士はネット通信設備２１２を介して無線通信が可能となっている。これによりユーザーは、任意の装飾板材３を使って無線通信ネットワーク内の各家電をコントロールすることが可能となる。したがって、現有の家電に無線通信装置を設置することなく、直接伝統の家電システム（既存の家電システム）をスマート化することができる。
【００６９】
このような家電制御システムの一態様として装飾板材３群が、屋内の壁面に設置された一つのメイン装飾板材３と、それぞれ違う家具表面に設置された複数のサブ装飾板材３とを備えることができる。
このメイン装飾板材３にはシングルチップ無線受信電路が設置され、サブ装飾板材３にはシングルチップ無線送信電路が設置されている。このサブ装飾板材３は、メイン装飾板材３と家電システム内に存在する各家電とに接続し合い、スイッチの開閉をコントロールする。この電気制御システムによれば、家具表面に設置されたサブ装飾板材３は、家電の電路に接続する必要が無く、家電システム内の各家電のスイッチをコントロールでき、この点でユーザーにとって操作しやすくなるうえ、コストダウンも可能となる。
【００７０】
（３）さらに装飾板材３に複数の制御端子３１４を設けることで制御端子３１４内に各家電の所在電路のライブまたはニュートラルと接続させることが可能である。この各制御端子３１４の開閉によって各家電のスイッチをコントロールすることができ、これにより装飾板材３にネット環境がなくても、気軽（簡単）に各家電をコントロールすることができる。
【００７１】
（４）制御器１０８は汎用プロセッサ，プロセッサコア，マルチプロセッサ，再構成可能なプロセッサ，メモリコントロールユニット（ＭＣＵ），デジタルシグナルプロセッサ（ＤＳＰ），エーシック（ＡＳＩＣ），グラフィックスプロセッシングユニット（ＧＰＵ），プログラマブルロジックデバイス（ＦＰＧＡ），プログラマブルロジックデバイス（ＰＬＤ），オートマトン，ゲーテッドロジック，ディスクリートハードウェアコンポーネント，その他の適切なコントロールユニットおよびその組み合わせから構成する。
【００７２】
制御器１０８はシリアルポートあるいはＳＰＩシリアルバスを通じて無線通信設備（ネット通信設備）２１２・高周波識別モジュールを接続し、汎用Ｉ／Ｏ端子を用いてピロ電気赤外線感知モジュールを読み取り、備え付けのＡＤＣ端子からマイクロ波センサー・空気センサー・温度センサー・光センサーのアナログ出力を読み取る。また、Ｉ／Ｏ端子を通じて無線充電モジュールの状態を観測し、画像生成部１０４から装飾板材３表面に投射した情報をコントロールする。
【００７３】
制御器１０８に備え付けた嵌入式ソフトには、デバイスドライバ，ミドルウェア，上位層プロトコルを含むものとする。デバイスドライバには、無線ネットモジュール通信ドライバ，高周波識別モジュール通信ドライバ，ＩＯ端子ドライバ，ディスプレイドライバが含まれる。ミドルウェアには、ＴＣＰ／ＩＰプロトコルスタック，ＲＦＩＤプロトコルスタック，ＬＥＤ及びデジタルニキシーディスプレイモジュールが含まれる。上位層プロトルコには、Ｓｏｃｋｅｔ通信応用，身分識別通信応用，サンプリング分析，ディスプレイ応用及びシステム配置インタフェース応用が含まれる。
【００７４】
（５）ここまで別紙図面に合わせて本発明の技術方案を紹介しましたが、該当分野の技術者にとって理解しやすいのは、本発明の保護範囲はこれらだけに限られません。本発明の原理に逸脱がない限り、該当分野の技術者は関連技術の同等たる特徴を改正または取替することができます、改正後又は取替後の技術方案は本発明の保護範囲内に属します。
【符号の説明】
【００７５】
１，２，３…装飾板材
１００…基板（基材）
１００ａ…上層表面
１００ｂ…凹状部
１０２…パネル（パネル）
１０４…画像生成部
１０６，２０６…非接触式センサーモジュール
１０８…制御器
１１０…電源
２１２…ネット通信設備
２１４…表示情報（提示データ）
３０６ａ…第１非接触式センサーモジュール
３０６ｂ…第２非接触式センサーモジュール
３１４…制御端子
３１６…タッチ設備
３１８…第１測定エリア
３２０…第２測定エリア
【図１】
2020103866.tif 000003
【図２】
2020103866.tif 000004
【図３】
2020103866.tif 000005